(57)【要約】【課題】エレベーターのかごに設置された照明装置の保守を行う際に、照明カバーが勢いよく開いてしまうことを防止できる照明カバー支持装置を提供する。【解決手段】照明カバー支持装置は、固定部材１５、支持部材１６、支持部材１７、及び受け部材１８を備える。固定部材１５は、エレベーターのドアの移動を案内する敷居４の溝８に差し込まれる。支持部材１６は伸縮可能であり、固定部材１５から上方に突出する。支持部材１７は伸縮可能であり、支持部材１６から側方に突出する。受け部材１８は、支持部材１７に設けられる。受け部材１８に、上方を向く平坦な受け面１８ａが形成される。【選択図】図１０
2018203462.tif 000002
【特許請求の範囲】
【請求項１】
エレベーターのドアの移動を案内する敷居の溝に下部が差し込まれる固定部材と、
下端部が前記固定部材に設けられ、前記固定部材から上方に突出する棒状の第１支持部材と、
一端部が前記第１支持部材の上端部に設けられ、前記第１支持部材から側方に突出する棒状の第２支持部材と、
前記第２支持部材の他端部に設けられ、上方を向く平坦な受け面が形成された受け部材と、
を備え、
前記第１支持部材は伸縮可能であり、
前記第２支持部材は伸縮可能である照明カバー支持装置。
【請求項２】
前記第２支持部材は、前記第１支持部材に着脱可能である請求項１に記載の照明カバー支持装置。
【請求項３】
前記第１支持部材は、
前記固定部材から上方に突出する第１棒状部材と、
一部が前記第１棒状部材から上方に突出し、前記第１棒状部材に対して上下に変位可能な第２棒状部材と、
一部が前記第２棒状部材から上方に突出し、前記第２棒状部材に対して上下に変位可能な第３棒状部材と、
前記第２棒状部材を上方に押し付ける押付部材と、
前記第３棒状部材を前記第２棒状部材に対して複数の位置で固定可能な固定具と、
を備えた請求項１又は請求項２に記載の照明カバー支持装置。
【請求項４】
前記第１支持部材は、
前記固定部材から上方に突出する第１棒状部材と、
一部が前記第１棒状部材から上方に突出し、前記第１棒状部材に対して上下に変位可能な第２棒状部材と、
一部が前記第２棒状部材から上方に突出し、前記第２棒状部材に対して上下に変位可能な第３棒状部材と、
前記第２棒状部材を前記第１棒状部材に対して複数の位置で固定可能な固定具と、
前記第３棒状部材を上方に押し付ける押付部材と、
を備えた請求項１又は請求項２に記載の照明カバー支持装置。
【請求項５】
前記固定部材は、エレベーターのドアの移動を案内する敷居の溝に差し込まれた際に、前記ドアの下端が干渉する高さまで前記敷居から突出する請求項１から請求項４の何れか一項に記載の照明カバー支持装置。
【請求項６】
前記受け部材は、
前記第２支持部材の前記他端部に設けられた基部と、
前記受け面が形成され、前記受け面に沿う方向にスライド可能となるように前記基部に設けられた受け部と、
を備えた請求項１から請求項５の何れか一項に記載の照明カバー支持装置。
【請求項７】
前記受け部材は、
前記第２支持部材の前記他端部に設けられた基部と、
前記受け面が形成され、上下方向の軸を中心に回転可能となるように前記基部に設けられた受け部と、
前記受け部に設けられ、前記受け面から上方に突出するガイド部と、
を備えた請求項１から請求項５の何れか一項に記載の照明カバー支持装置。
【発明の詳細な説明】
【技術分野】
【０００１】
この発明は、エレベーターの保守作業等で使用される照明カバー支持装置に関する。
【背景技術】
【０００２】
特許文献１に、エレベーターのかごに設けられた照明装置が記載されている。特許文献１に記載された照明装置は、例えば蛍光灯と蛍光灯を覆う照明カバーとを備える。照明カバーは、例えば、かごの奥側に配置された縁部が軸を介して支持される。照明カバーは、この軸を中心に回転することによって開閉される（特許文献１の図３参照）。
【先行技術文献】
【特許文献】
【０００３】
【特許文献１】特開２０１２−５６７３４号公報
【発明の概要】
【発明が解決しようとする課題】
【０００４】
特許文献１に記載された照明装置の蛍光灯を取り替える場合、エレベーターの保守員は、脚立の上で作業を行う。例えば、保守員は、脚立の上で照明カバーの留め具を外す。照明カバーが大きい場合は、複数の留め具が設けられていることがある。かかる場合、保守員は、脚立の上で１つの留め具を外した後、脚立を移動させて脚立の上に再度上がり、他の留め具を外す。最後の留め具を外すと、照明カバーは自重で開く。しかし、脚立の上で大型の照明カバーを１人で支えることは困難である。このため、蛍光灯の取替作業を複数の保守員で行わなければならなかった。
【０００５】
この発明は、上述のような課題を解決するためになされた。この発明の目的は、エレベーターのかごに設置された照明装置の保守を行う際に、照明カバーが勢いよく開いてしまうことを防止できる照明カバー支持装置を提供することである。
【課題を解決するための手段】
【０００６】
この発明に係る照明カバー支持装置は、エレベーターのドアの移動を案内する敷居の溝に下部が差し込まれる固定部材と、下端部が固定部材に設けられ、固定部材から上方に突出する棒状の第１支持部材と、一端部が第１支持部材の上端部に設けられ、第１支持部材から側方に突出する棒状の第２支持部材と、第２支持部材の他端部に設けられ、上方を向く平坦な受け面が形成された受け部材と、を備える。第１支持部材は伸縮可能である。第２支持部材は伸縮可能である。
【発明の効果】
【０００７】
この発明に係る照明カバー支持装置であれば、エレベーターのかごに設置された照明装置の保守を行う際に、照明カバーが勢いよく開いてしまうことを防止できる。
【図面の簡単な説明】
【０００８】
【図１】エレベーターのかごを示す断面図である。
【図２】図１のＡ−Ａ断面を示す図である。
【図３】この発明の実施の形態１における支持装置の例を示す側面図である。
【図４】この発明の実施の形態１における支持装置の例を示す正面図である。
【図５】固定部材の例を示す斜視図である。
【図６】支持部材の例を示す断面図である。
【図７】支持部材の他の例を示す断面図である。
【図８】支持部材の例を示す断面図である。
【図９】受け部材の例を示す斜視図である。
【図１０】支持装置の使用方法を説明するための図である。
【図１１】支持装置の使用方法を説明するための図である。
【図１２】支持装置の他の使用方法を説明するための図である。
【発明を実施するための形態】
【０００９】
添付の図面を参照し、本発明を説明する。重複する説明は、適宜簡略化或いは省略する。各図において、同一の符号は同一の部分又は相当する部分を示す。
【００１０】
実施の形態１．
図１は、エレベーターのかごを示す断面図である。図２は、図１のＡ−Ａ断面を示す図である。先ず、図１及び図２を参照し、エレベーターのかごについて説明する。エレベーターのかごは、例えばかご床１、壁パネル２、かごドア３、敷居４、天井パネル５、及び照明装置６を備える。
【００１１】
かご床１は、かご室の床面を形成する。かご床１に、壁パネル２が設けられる。壁パネル２は、かご床１の縁に沿うように配置される。壁パネル２は、かご室の壁面を形成する。壁パネル２に、かご出入口７が形成される。かご出入口７は、かごドア３によって開閉される。かごドア３は、図示しない駆動機構によって上方から吊り下げられる。かごドア３の上端部の移動はこの駆動機構によって案内される。かごドア３の下端部の移動は敷居４によって案内される。敷居４は、かご床１に設けられる。敷居４は、かご出入口７の間口方向に沿うように配置される。敷居４に、かごドア３の下端部の移動を案内するための溝８が形成される。
【００１２】
壁パネル２に、天井パネル５が設けられる。天井パネル５は、かご室の天井面を形成する。天井パネル５に、照明装置６が設けられる。照明装置６は、例えば蛍光灯９、筐体１０、照明カバー１１、軸１２、及び留め具１３を備える。
【００１３】
蛍光灯９は、かご室を照らす照明器具の一例である。照明装置６は、ＬＥＤ（Ｌｉｇｈｔ  Ｅｍｉｔｔｉｎｇ  Ｄｉｏｄｅ）等の他の種類の照明器具を備えても良い。蛍光灯９は、筐体１０の内部に配置される。筐体１０は、天井パネル５に設けられる。筐体１０に、照明装置６の保守を行うための開口が形成される。照明カバー１１は、この開口を塞ぐように配置される。
【００１４】
図１は、照明カバー１１が軸１２を介して筐体１０に設けられる例を示す。照明カバー１１は、軸１２を中心に回転するように移動する。例えば、照明カバー１１は、奥側の縁部が軸１２を介して筐体１０に設けられる。照明カバー１１は、出入口側の縁部１１ａが下方に移動することによって開放される。図２は、照明カバー１１が留め具１３によって筐体１０に支持される例を示す。例えば、留め具１３は、一部が筐体１０の側面から突出する。留め具１３が筐体１０の内側に一定距離押し込まれると、留め具１３が照明カバー１１から外れる。図２は、筐体１０の両側に留め具１３が設けられる例を示す。かかる場合、双方の留め具１３に対する解除操作が行われなければ、照明カバー１１を開けることはできない。
【００１５】
次に、図３から図９も参照し、照明装置６の保守作業で使用される支持装置１４について説明する。図３は、この発明の実施の形態１における支持装置１４の例を示す側面図である。図４は、この発明の実施の形態１における支持装置１４の例を示す正面図である。支持装置１４は、例えば固定部材１５、支持部材１６、支持部材１７、及び受け部材１８を備える。以下においては、図３及び図４に示す向きを基準に支持装置１４の上下を特定する。即ち、固定部材１５は支持装置１４の最下部に配置される。受け部材１８は支持装置１４の最上部に配置される。
【００１６】
図５は、固定部材１５の例を示す斜視図である。固定部材１５は、支持装置１４をエレベーターのかごに固定するための部材である。固定部材１５は、その下部が敷居４の溝８に差し込まれることによって支持装置１４をかごに固定する。固定部材１５は、例えば断面が楔形状である。固定部材１５の下端の厚さＴ１は、上端の厚さＴ２より小さい。固定部材１５の下端の厚さＴ１は、敷居４の溝８の幅Ｗ２より小さい。固定部材１５の上端の厚さＴ２は、敷居４の溝８の幅Ｗ２より大きい。また、固定部材１５の幅Ｗ１は、上端の厚さＴ２より大きい。固定部材１５の高さＨは、敷居４の溝８の深さＤより大きい。固定部材１５は、敷居４の溝８に差し込まれると、一部が敷居４から上方に突出する。
【００１７】
図６は、支持部材１６の例を示す断面図である。支持部材１６は、棒状の部材である。支持部材１６は、下端部が固定部材１５に設けられる。支持部材１６は、固定部材１５から上方に突出する。支持部材１６は、伸縮可能である。また、支持部材１６、上端部が下方に押されると縮み、その力が無くなると元の長さに戻る。支持部材１６は、例えば棒状部材１９、棒状部材２０、棒状部材２１、押付部材２２、及び固定具２３を備える。
【００１８】
棒状部材１９は、下端部が固定部材１５に設けられる。棒状部材１９は、固定部材１５から上方に突出する。棒状部材１９の上部側は筒状であり、内側に空間１９ａが形成される。棒状部材１９の内側に形成されたこの空間１９ａに、押付部材２２が配置される。図６は、押付部材２２がバネである例を示す。押付部材２２はバネ以外の弾性体であっても良い。
【００１９】
棒状部材２０は、棒状部材１９に接続される。棒状部材２０は、棒状部材１９に対して一直線状に配置される。棒状部材２０の下部は、棒状部材１９の空間１９ａに配置される。棒状部材２０の上部側は、棒状部材１９から上方に突出する。棒状部材２０の上部側は筒状であり、内側に空間２０ａが形成される。押付部材２２は、棒状部材２０の下面と空間１９ａを形成する底面１９ｂとの間に配置される。押付部材２２は、棒状部材２０を常に上方に押し付ける。棒状部材２０は、棒状部材１９に対して軸方向に変位する。即ち、棒状部材２０は、棒状部材１９に対して上下に変位可能である。このため、外力が作用していなければ、棒状部材２０は、棒状部材１９から最も突出する位置に配置される。
【００２０】
棒状部材２１は、棒状部材２０に接続される。棒状部材２１は、棒状部材２０に対して一直線状に配置される。棒状部材２１の下部は、棒状部材２０の空間２０ａに配置される。棒状部材２１の上部側は、棒状部材２０から上方に突出する。棒状部材２１は、棒状部材２０に対して軸方向に変位する。即ち、棒状部材２１は、棒状部材２０に対して上下に変位可能である。棒状部材２１は、固定具２３によって棒状部材２０に固定される。固定具２３は、棒状部材２１を棒状部材２０に対して複数の位置で固定することができる。図６は、固定具２３が棒状部材２０に設けられた蝶ボルトである例を示す。図６に示す例では、蝶ボルトを緩めると棒状部材２１を棒状部材２０に対して変位させることができる。また、蝶ボルトを締め付けると棒状部材２１を棒状部材２０に対して固定することができる。
【００２１】
図７は、支持部材１６の他の例を示す断面図である。図７に示す例では、棒状部材１９は、下端部が固定部材１５に設けられる。棒状部材１９は、固定部材１５から上方に突出する。棒状部材１９の上部側は筒状であり、内側に空間１９ａが形成される。
【００２２】
棒状部材２０は、棒状部材１９に接続される。棒状部材２０は、棒状部材１９に対して一直線状に配置される。棒状部材２０の下部は、棒状部材１９の空間１９ａに配置される。棒状部材２０の上部側は、棒状部材１９から上方に突出する。棒状部材２０の上部側は筒状であり、内側に空間２０ａが形成される。棒状部材２０の内側に形成されたこの空間２０ａに、押付部材２２が配置される。棒状部材２０は、棒状部材１９に対して軸方向に変位する。即ち、棒状部材２０は、棒状部材１９に対して上下に変位可能である。棒状部材２０は、固定具２３によって棒状部材１９に固定される。固定具２３は、棒状部材２０を棒状部材１９に対して複数の位置で固定することができる。図７も図６と同様に、固定具２３が蝶ボルトである例を示す。図７に示す例では、蝶ボルトを緩めると棒状部材２０を棒状部材１９に対して変位させることができる。また、蝶ボルトを締め付けると棒状部材２０を棒状部材１９に対して固定することができる。
【００２３】
棒状部材２１は、棒状部材２０に接続される。棒状部材２１は、棒状部材２０に対して一直線状に配置される。棒状部材２１の下部は、棒状部材２０の空間２０ａに配置される。棒状部材２１の上部側は、棒状部材２０から上方に突出する。押付部材２２は、棒状部材２１の下面と空間２０ａを形成する底面２０ｂとの間に配置される。押付部材２２は、棒状部材２１を常に上方に押し付ける。棒状部材２１は、棒状部材２０に対して軸方向に変位する。即ち、棒状部材２１は、棒状部材２０に対して上下に変位可能である。このため、外力が作用していなければ、棒状部材２１は、棒状部材２０から最も突出する位置に配置される。
【００２４】
図８は、支持部材１７の例を示す断面図である。支持部材１７は、棒状の部材である。支持部材１７は、一端部が支持部材１６の上端部に設けられる。支持部材１７は、支持部材１６から側方に突出する。例えば、支持部材１７は、固定部材１５の側面のうち溝８の側壁に対向する側面１５ａが向く方向に支持部材１６から突出する。支持部材１７は伸縮可能である。また、支持部材１７は、支持部材１６に対して着脱可能である。支持部材１７は、例えば棒状部材２４、棒状部材２５、及び固定具２６を備える。
【００２５】
棒状部材２４は、一端部が支持部材１６の上端部に設けられる。具体的に、棒状部材２４は、一端部が棒状部材２１の上端部に設けられる。棒状部材２４は、支持部材１６から側方に突出する。棒状部材２４の他端部側は筒状であり、内側に空間２４ａが形成される。
【００２６】
棒状部材２５は、棒状部材２４に接続される。棒状部材２５は、棒状部材２４に対して一直線状に配置される。棒状部材２５の一端部は、棒状部材２４の空間２４ａに配置される。棒状部材２５の他端部側は、棒状部材２４から側方に突出する。棒状部材２５は、棒状部材２４に対して軸方向に変位可能である。棒状部材２５は、固定具２６によって棒状部材２４に固定される。固定具２６は、棒状部材２５を棒状部材２４に対して複数の位置で固定することができる。図８は、固定具２６が棒状部材２４に設けられた蝶ボルトである例を示す。図８に示す例では、棒ボルトを緩めると棒状部材２５を棒状部材２４に対して変位させることができる。また、蝶ボルトを締め付けると棒状部材２５を棒状部材２４に対して固定することができる。
【００２７】
図９は、受け部材１８の例を示す斜視図である。受け部材１８は、照明装置６の照明カバー１１を受けるための部材である。受け部材１８は、支持部材１７から上方に突出するように支持部材１７の他端部に設けられる。受け部材１８に、上方を向く平坦な受け面１８ａが形成される。受け部材１８は、例えば基部２７、受け部２８、及びガイド部２９を備える。
【００２８】
基部２７は、支持部材１７の他端部に設けられる。具体的に、基部２７は、棒状部材２５の他端部に設けられる。基部２７は、支持部材１７から上方に突出する。基部２７の上端部に受け部２８が設けられる。受け部２８の上面は平坦である。即ち、受け部２８の上面が受け面１８ａである。ガイド部２９は、受け部２８に設けられる。ガイド部２９は、受け部２８の上面、即ち受け面１８ａから上方に突出する。図９は、受け部２８とガイド部２９とが、断面がＬ字状のブロック部材で一体的に形成される例を示す。
【００２９】
次に、図１０及び図１１も参照し、支持装置１４の使用方法について説明する。図１０及び図１１は、支持装置１４の使用方法を説明するための図である。図１０は、支持装置１４をかごに取り付けた時のかごの断面図を示す。図１１は、支持装置１４をかごに取り付けた時のかごの正面図を示す。
【００３０】
上述したように、支持装置１４は、固定部材１５の下部が敷居４の溝８に差し込まれることによってかごに固定される。固定部材１５は、敷居４の溝８に差し込まれると、かごドア３の下端が干渉する高さまで敷居４から突出する。このため、固定部材１５を敷居４の溝８に差し込むことにより、かごドア３が自動的に閉じてしまうことを防止できる。図１１は、かごが両開き方式のかごドア３を備える例を示す。支持装置１４は、例えば、開放された各かごドア３に隣接するように取り付けられる。
【００３１】
支持部材１６は、固定部材１５が敷居４に差し込まれることによって敷居４の直上に一直線状に配置される。支持部材１７は、支持部材１６からかご室の内部に延びるように配置される。支持部材１６の長さ及び支持部材１７の長さは、受け面１８ａが照明カバー１１の縁部１１ａの直下に配置されるように調節される。受け面１８ａは、照明カバー１１の縁部１１ａに僅かな隙間を空けて対向するように配置される。
【００３２】
保守員は、例えば蛍光灯９を取り替える際に、図１０及び図１１に示すように支持装置１４を取り付ける。保守員は、支持装置１４を取り付けた後、脚立に上って留め具１３を押す解除操作を行う。例えば、保守員は、一方の留め具１３に対して解除操作を行った後、脚立を移動させて脚立の上に再度上がり、もう一方の留め具１３に対して解除操作を行う。双方の留め具１３に対して解除操作が行われると、照明カバー１１は自重で開く。しかし、照明カバー１１は支持装置１４に支持されるため、勢いよく開くことはない。保守員は、脚立から降りた後、照明カバー１１を支えながら支持装置１４を外し、照明カバー１１を完全に開放させる。
【００３３】
本実施の形態に示す例であれば、照明装置６の保守を行う際に、照明カバー１１が勢いよく開いてしまうことを防止できる。このため、例えば、蛍光灯９を取り替える場合に、１人の保守員で作業を行うことができる。
【００３４】
なお、支持部材１６は、上方から押されることによって押付部材２２が縮み、その長さが短くなる。照明カバー１１を受け部材１８で受けた際に、筐体１０と照明カバー１１との間に作業用の隙間ができるように押付部材２２のバネ定数を設定しても良い。照明カバー１１を完全に開放させることなく、支持装置１４に照明カバー１１を支持させたまま蛍光灯９の取替作業等を行うことができる。かかる場合、受け部２８は、受け面１８ａに沿う方向にスライド可能となるように基部２７に設けられることが好ましい（図９参照）。図９は、受け部２８が基部２７に対して支持部材１７の軸方向にスライドする例を示す。照明カバー１１が受け面１８ａを滑ることによって照明カバー１１の縁部１１ａに傷が付くことを防止できる。
【００３５】
図１２は、支持装置１４の他の使用方法を説明するための図である。図１２は、支持装置１４をかごに取り付けた時のかごの断面図を示す。図１２に示す例では、かごに２台の照明装置６が設けられる。一方の照明装置６の照明カバー１１は、奥側の縁部が下方に移動することによって開放される。もう一方の照明装置６の照明カバー１１は、出入口側の縁部が下方に移動することによって開放される。かかる場合、受け部２８は、上下方向の軸を中心に回転可能となるように基部２７に設けられることが好ましい（図９参照）。例えば、出入口側の照明装置６の照明カバー１１を開放する場合は、図１２に示すように、受け部２８の向きを変えてから受け部２８を照明カバー１１の下に配置する。１台の支持装置１４を双方の照明装置６に使用することができる。
【符号の説明】
【００３６】
１  かご床、  ２  壁パネル、  ３  かごドア、  ４  敷居、  ５  天井パネル、  ６  照明装置、  ７  かご出入口、  ８  溝、  ９  蛍光灯、  １０  筐体、  １１  照明カバー、  １１ａ  縁部、  １２  軸、  １３  留め具、  １４  支持装置、  １５  固定部材、  １５ａ  側面、  １６  支持部材、  １７  支持部材、  １８  受け部材、  １８ａ  受け面、  １９  棒状部材、  １９ａ  空間、  １９ｂ  底面、  ２０  棒状部材、  ２０ａ  空間、  ２０ｂ  底面、  ２１  棒状部材、  ２２  押付部材、  ２３  固定具、  ２４  棒状部材、  ２４ａ  空間、  ２５  棒状部材、  ２６  固定具、  ２７  基部、  ２８  受け部、  ２９  ガイド部
【図１】
2018203462.tif 000003
【図２】
2018203462.tif 000004
【図３】
2018203462.tif 000005
【図４】
2018203462.tif 000006
【図５】
2018203462.tif 000007
【図６】
2018203462.tif 000008
【図７】
2018203462.tif 000009
【図８】
2018203462.tif 000010
【図９】
2018203462.tif 000011
【図１０】
2018203462.tif 000012
【図１１】
2018203462.tif 000013
【図１２】
2018203462.tif 000014